(57)【特許請求の範囲】
【請求項１】
内部に収納空間を有する箱体の収納間仕切りであって、箱体の両側壁のそれぞれの内部には、天井押し付け部材とキャスターとともに、天井押し付け部材の天井面への押し付けとキャスターの箱体内への引き上げ、またはキャスターの床面への押し下げと天井押し付け部材の引き込みをそれぞれ同時に行うリンク機構を備えており、キャスターの引き上げおよび押し下げを行うリンク部材の下端部が鈍角Ｌ字形であって、キャスターの箱体内への引き上げ時には鈍角Ｌ字形先端が上方向に回動し、キャスターを押し下げる下部シャフト上端から外れて押圧力を開放し、キャスターの床面への押し下げ時には鈍角Ｌ字形先端が下方向に回動し、下部シャフト上端を押し付けるように位置することを特徴とする収納間仕切り。
【請求項２】
内部に収納空間を有する箱体の収納間仕切りであって、箱体の両側壁のそれぞれの内部には、天井押し付け部材とキャスターとともに、天井押し付け部材の天井面への押し付けとキャスターの箱体内への引き上げ、またはキャスターの床面への押し下げと天井押し付け部材の引き込みをそれぞれ同時に行うリンク機構を備えており、天井押し付け部材の底面には、側面にスリットを有する中空ガイド部材が配設され、また、リンク機構には、この中空ガイド部材内を上昇させてその先端が天井押し付け部材を押し上げるシャフト軸が連結されており、シャフト軸には、中空ガイド部材のスリットから突出するピン部材が配設されているとともに、中空ガイド部材にはピン停止部材が配設されていて、シャフト軸が中空ガイド部内を下降する際には、シャフト軸のピン部材がピン停止部材に係合して中空ガイド部材を下降させ、これによって天井押し付け部材が引き込まれることを特徴とする収納間仕切り。
【発明の詳細な説明】
【０００１】
【発明の属する技術分野】
この出願は、内部に収納空間を有し、所定箇所への移動および固定を容易かつ確実に行うことのできる、移動可能な収納間仕切りに関するものである。
【０００２】
【従来の技術】
従来より、住宅等の室内家具の一つとして、内部に収納空間を有する間仕切りが知られている。このような間仕切りは、その設置位置を自由に移動することが可能であるが、設置後にその位置が移動したり、あるいは地震等の際に転倒したりすることを防止するために、固定機構を備えている必要がある。
【０００３】
従来の収納間仕切りにおいては、この固定機構として、収納箱体（家具）の天板上にアジャスターを配置し、このアジャスターの上端部に天井押し板を配置して、アジャスターの高さ調節によりこの天井押し板を天井面に押し付け、また、この天井押し板の周囲には幕板を配設する構造が採用されてきている。
この構造によって、収納箱体（家具）の天板と天井面との間の隙間を塞ぎ、外観性とともに、遮音性、遮光性を良好とし、あわせて耐震性、耐衝撃性を確保しようとしている。
【０００４】
また同様のアジャスター構造が床面との隙間に対しても適用されたものも知られている。
しかしながら、従来のアジャスターを用いた固定構造の場合には、アジャスターの取付けと高さ調節、そして天井押し板の天井面への所要の押圧力での押し付けは現場施工としては面倒で時間がかかるという問題があった。しかもまた、収納箱体内の収納物の重量によって床面の沈みが生じるとアジャスターによる固定は勢力を失い耐震性や外観性、遮音性等の性能が失われてしまうという問題があった。
【０００５】
そこで、この出願の発明者らは、このような問題を解決するものとして、バネを用いた固定機構を提案した。
たとえば、図１０は、このような機構を備えた収納間仕切りを例示した側断面図（Ａ）および正面断面図（Ｂ）である。この図１０に例示した収納間仕切りの場合には、天板（ア）の上方に天井押し付け部材（イ）を備えており、パイプ（ウ）内に配設したバネ（エ）の伸長方向への付勢力によりこの天井押し付け部材（イ）を天井に押し付けることによって、所定位置に固定するようになっている。
【０００６】
設置位置を変更する場合には、収納間仕切りの箱体の内側に備えられた解除装置（オ）を操作して、天井押し付け部材（イ）を下降させるようにする。すなわち、ハンドル（カ）を回転してワイヤ（キ）を引き絞り、バネ（エ）を下方に引き下げることによって天井押し付け部材（イ）の固定力を解放するようにしている。
【０００７】
ただし、図１０に例示したような可動収納間仕切りには、従来のアジャスターを用いた構造に比べてはるかに高い性能を有し、床面が沈んでもバネ（エ）の付勢力によって天井押し付け部材（イ）の天井面への押し付けは維持されるものの、この収納間仕切りの場合には、解除装置（オ）の存在によって、箱体の内部空間の収納利用スペースが制限されるという問題がある。また、解除装置（オ）が収納空間に露出するため、収納箱体としての意匠性に問題があった。
【０００８】
さらには、バネ（エ）は常にテンションがかかっているため、これを下方に引き下げるためにはワイヤ（キ）を強い力で引き絞る必要があり、操作性の点でも改善の余地があった。
そこでこの出願の発明者らは、さらに、図１１にその昇降機構を例示したような収納間仕切りを提案してもいる。すなわち、この収納間仕切りは、箱体の両方の側壁のそれぞれの内部に、天井押し付け部材（１）の天井面への押し付けと、引き込みを自在とするリンク機構（２）が配設されている。このリンク機構（２）は、回転軸（３）を介して固定板（４）に回転自在に配設された回転板（５）にリンク部材（６）が接続されており、回転軸（３）を所定の範囲で回動することによってリンク機構（２）を伸長および収縮させ、リンク部材（６）に連結された上部シャフト（７）を介して天井押し付け部材（１）の押し付けおよび引き込みを簡便に行うことが可能となっている。上部シャフト（７）には中空状のガイド部（７１）が形成され、このガイド部（７１）に軸部材（８）が挿入され、軸部材（８）の周囲にはバネ材（９）が配設されてもいる。
【０００９】
回転板（５）を回動させてリンク機構（２）を伸長させることによって上部シャフト（７）が上昇すると、軸部材（８）の下端がガイド部（７１）の底に当接し、天井押し付け部材（１）を上昇させてこれを天井に当接させる。この状態でさらに軸部材（８）が上昇すると、バネ材（９）が圧縮して、バネ材（９）の伸長方向への付勢力が弾発力として発生し、この力により天井押し付け部材（１）はより強固に天井に押し付けられる。押し付け固定を解除する場合には、回転板（５）を逆に回転させることによってリンク機構（２）を収縮させて上部シャフト（７）を下降させ、バネ材（９）がゆるめられた状態で天井押し付け部材（１）をさらに下降させればよい。この時、バネ材（９）にはテンションがかかっていないため、少ない力で操作することができる。
【００１０】
【発明が解決しようとする課題】
図１１に例示した先願発明の収納間仕切りの場合には、昇降機構が側壁内に内蔵されていて外部に露出しないために外観性は良好であり、収納空間を広く利用することができるとともに、少ない力で昇降機構を操作できるという優れた特徴を有するものであるが、その後の検討により、さらに改良すべき点が見出された。
【００１１】
すなわち、収納間仕切りの場合には、所望の位置に随時移動して設置するため、移動のためのキャスターを備えることが好ましい。ところが、底面からキャスターが常に突出した状態では、たとえ天井押し付け部材を強く天井面に圧接させたとしても、固定状態は不安定になる。そこで、天井押し付け部材の昇降に用いるのと同じ様なリンク機構を用いて、固定時にはキャスターを箱体内に引き込み、移動時にのみキャスターを床面に当接させることのできる収納間仕切りも提案されてはいる。しかしながら、天井押し付け部材の昇降とともに、キャスター昇降のためにもリンク機構を用いると、機構が複雑となり、部品数も多くなる。しかも、移動時に箱体の底面から突出したキャスターには収納間仕切りの全重量がかかるため、これを支持するリンク機構には逆折れ防止機構等を考慮する必要ある。このような理由から、キャスター昇降のためのリンク機構を用いた収納間仕切りの場合には、製品コストの上昇が避けられないという問題点を有していた。
【００１２】
また、図１１に例示したような収納間仕切りの場合には、天井押し付け部材（１）は上部シャフト（７）が下降すると、その自重により落下し、箱体内に引き込まれるようになっていた。しかしながら、リンク機構の特性によって左右の上部シャフト（７）が下降量にばらつきを発生する場合があため、天井押し付け部材（１）が傾くなどして完全に引き込むことができず、収納間仕切りを移動させる際に天井の隆起部等に衝突する場合があるという問題点を有してもいた。
【００１３】
この出願は、以上のとおりの事情に鑑みてなされたものであって、従来の可動式の収納間仕切りの問題点を解消し、簡単な構造であるにも係わらず、天井押し付け部材および移動用キャスターの出し入れを確実に行うことのできる新しい収納間仕切りを提供することを課題としている。
またこの出願は、天井押し付け部材と移動用キャスターの出し入れを同一のリンク機構で行うに際して、天井押し付け部材を確実に箱体内部に引き込むことのできる新しい収納間仕切りを提供することを課題としてもいる。
【００１４】
【課題を解決するための手段】
この出願は、前記の課題を解決するための第１の発明として、内部に収納空間を有する箱体の収納間仕切りであって、箱体の両側壁のそれぞれの内部には、天井押し付け部材とキャスターとともに、天井押し付け部材の天井面への押し付けとキャスターの箱体内への引き上げ、またはキャスターの床面への押し下げと天井押し付け部材の引き込みをそれぞれ同時に行うリンク機構を備えており、キャスターの引き上げおよび押し下げを行うリンク部材の下端部が鈍角Ｌ字形であって、キャスターの箱体内への引き上げ時には鈍角Ｌ字形先端が上方向に回動し、キャスターを押し下げる下部シャフト上端から外れて押圧力を解放し、キャスターの床面への押し下げ時には鈍角Ｌ字形先端が下方向に回動し、下部シャフト上端を押し付けるように位置することを特徴とする収納間仕切りを提供する。
【００１５】
またこの出願は、第２の発明として、内部に収納空間を有する箱体の収納間仕切りであって、箱体の両側壁のそれぞれの内部には、天井押し付け部材とキャスターとともに、天井押し付け部材の天井面への押し付けとキャスターの箱体内への引き上げ、またはキャスターの床面への押し下げと天井押し付け部材の引き込みをそれぞれ同時に行うリンク機構を備えており、天井押し付け部材の底面には、側面にスリットを有する中空ガイド部材が配設され、また、リンク機構には、この中空ガイド部材内を上昇させてその先端が天井押し付け部材を押し上げるシャフト軸が連結されており、シャフト軸には、中空ガイド部材のスリットから突出するピン部材が配設されているとともに、中空ガイド部材にはピン停止部材が配設されていて、シャフト軸が中空ガイド部内を下降する際には、シャフト軸のピン部材がピン停止部材に係合して中空ガイド部材を下降させ、これによって天井押し付け部材が引き込まれることを特徴とする収納間仕切りを提供する。
【００１７】
【発明の実施の形態】
以下、添付した図面に沿って実施例を示し、この出願の収納間仕切りについてさらに詳しく実施の形態を説明する。
【００１８】
【実施例】
図１は、この出願の第１の発明の収納間仕切りの一実施例を示した側面図である。
この図１に例示したように、第１発明の収納間仕切りは、箱体（１０）の両方の側壁（１１）のそれぞれの内部に、天井押し付け部材（１）の天井面への押し付けと、引き込みを自在とするリンク機構（２）が配設されている。このリンク機構（２）では、回転軸（３）を介して固定板（４）に回転自在に配設された回転板（５）に、左右それぞれ３本のリンク部材（６１）（６１）（６３）が接続されており、回転軸（３）を所定の範囲で回動することによってリンク機構（２）を伸長および収縮させ、リンク部材（６２）に連結された上部シャフト（７）を介して天井押し付け部材（１）の押し付けおよび箱体内への引き込みを簡便に行うことが可能となっている。上部シャフト（７）は中空状であり、内部には軸部材（８）とバネ材（９）が配設されてもいる。
【００１９】
回転板（５）を回動させてリンク機構（２）を伸長させることによって上部シャフト（７）が上昇すると、軸部材（８）が天井押し付け部材（１）を上昇させてこれを天井に当接させる。この状態でさらに軸部材（８）が上昇すると、バネ材（９）が圧縮して、バネ材（９）の伸長方向への付勢力が弾発力として発生し、この力により天井押し付け部材（１）はより強固に天井に押し付けられる。押し付け固定を解除する場合には、回転板（４）を逆に回転されることによってリンク機構（２）を収縮させて上部シャフト（７）を下降させ、バネ材（９）がゆるめられた状態で天井押し付け部材（１）をさらに下降させればよい。この時、バネ材（９）にはテンションがかかっていないため、少ない力で操作することができるようになっている。
【００２０】
一方、側壁（１１）の下方には下部シャフト（１２）が配設され、この下部シャフト（１２）の下端にはキャスター（１３）が連結されている。下部シャフト（１２）の上端はリンク部材（６３）の下端と接しており、このリンク部材（６３）の作動によって下部シャフト（１２）が昇降するようになっている。すなわち、リンク部材（６３）は、図２に例示したように、下端部が鈍角Ｌ字形（６３１）であり、リンク機構（２）全体が折れ曲がった状態（天井押し付け部材が解除された移動時）では、この図２に示したように鈍角Ｌ字形（６３１）の先端が下方向、つまり鉛直もしくは略鉛直の方向を向き、下部シャフト（１２）の上端を押し付け、キャスター（１３）を押し下げる。一方、リンク機構（２）全体が伸長した状態（天井押し付け部材が押し付けられた固定状態）では、リンク部材（６３）は固定点（６３２）を中心として図中矢印方向（上方向）に回転し、鈍角Ｌ字形（６３１）の先端は箱体内部方向を向き、下部シャフト（１２）の上端は鈍角Ｌ字形（６３１）の先端部分による押圧力から解放されて上昇し、キャスター（１３）も箱体（１０）内部に引き上げられる。この際には、箱体（１０）の自重によってキャスター（１３）の引き上げはスムーズに行われることになる。
【００２１】
なお、鈍角Ｌ字形（６３１）の先端は、図２に示したように、凹曲面状とし、下部シャフト（１２）の上端部分もこれに対応した凸曲面状とすることが好ましい。また、リンク部材（６３）の移動に伴って下部シャフト（１２）の上端が接動する鈍角Ｌ字形（６３１）の角部は、切り落として直線状にするのが好ましい。このような鈍角Ｌ字形（６３１）の形状によって、下部シャフト（１２）に対する押圧力の付加とその解除をスムースに行うことができる。
【００２２】
図３（Ａ）〜（Ｄ）は、この収納間仕切りの可動状態から固定状態への作動を連続的に示した側面図である。図３（Ａ）はリンク機構（２）全体が折れ曲がっており、上部シャフト（７）および下部シャフト（１２）は共に下方にあって、天井押し付け部材の固定力は解除され、キャスター（１３）は箱体（１０）から突出して床面に当接している。この状態で回転板（５）を回動すると、下部シャフト（１２）の上端がリンク部材（６３）の鈍角Ｌ字形（６３１）先端から外れ（Ｂ）、箱体（１０）の自重によりリンク部材（６３）を押し上げてリンク機構（２）に回転力が与えられる。そしてこの回転力により上部シャフト（７）が押し上げられ（Ｃ）、図１に示すようにバネ材（９）が圧縮されて天井押し付け部材（１）が天井面に押し付けられて圧接して固定状態となる（Ｄ）。図４は、箱体（１０）の全体重量（収納重量）を５０ｋｇまはた１００ｋｇとし、バネ材（９）のバネ定数を０．２５または０．５とした時の、回転板（５）の回転角度（リンク中心部角度）と操作力との関係を示したグラフ図である。この図４に示した様に、回転板（５）の回動操作の初期（約３０度付近までの回動）には比較的大きな操作力が必要であるが、その後は箱体の自重とバネ圧縮力により回転板（５）は少ない力で回動可能となる。
【００２３】
一方、固定状態から移動状態に変える場合には、図５（Ａ）から（Ｄ）に示したように、全体が伸長した状態のリンク機構（２）（Ａ）を回転板（５）の回動操作によって収縮させる。先ず、上部シャフト（７）に対するリンク部材（６２）の押圧力が解除されると、バネ材（９）のバネ力により上部シャフト（７）が引き下げられ（Ｂ）、これによってリンク機構（２）に回転力が与えられ（Ｃ）、リンク部材（６３）が回転して鈍角Ｌ字形（６３１）の先端が下部シャフト（１２）を押し下げ、キャスター（１３）が突出して床面に当接する（Ｄ）。
【００２４】
図６は、この一連の操作における回転板（５）の回転角度と操作力の関係を図４と同様に示したグラフ図である。この図６から明らかなように、固定状態から移動状態への操作では、一貫して少ない力で回転板（５）の回動操作が可能である。
なお、回転板（５）の回動操作は、図７に例示したように、回転軸（３）を箱体（１０）の外部から操作ハンドル（１４）で回転させるか、あるいは左右のリンク機構を連結パイプ（１５）で連結し、この連結パイプ（１５）を操作ハンドル（１６）で回動するようにしてもよい。
【００２５】
次に、この出願の第２の発明について説明する。
図８は、この出願の第２発明の収納間仕切りを例示した側面図である。この図８に例示したように、この第２発明の収納間仕切りは、図１で説明した第１発明の収納間仕切りと同様のリンク機構（２）を備えており、このリンク機構（２）に連結した上部シャフト（７）を介して天井押し付け部材（１）の押し付けと箱体内への引き込みを行い、下部シャフト（１２）を介してキャスターの押し下げと引き上げを行うようになっている。
【００２６】
上部シャフト（７）の先端にはシャフト軸（１７）が連結され、このシャフト軸（１７）は、天井押し付け部材（１）の底面に下垂配置された中空ガイド部材（１８）に嵌挿されている。
図９は、この中空ガイド部材（１８）とシャフト軸（１７）を例示した斜視図である。中空ガイド部材（１８）の側面にはスリット（１９）が形成されており、シャフト軸（１７）に配設されたピン部材（２０）がこのスリット（１９）から突出するようになっている。また、中空ガイド部材（１８）にはピン停止部材（２１）が配設されてもいる。
【００２７】
天井押し付け部材（１）を天井面に押し付ける場合には、リンク機構（２）の回転によってシャフト軸（１７）が中空ガイド部材（１８）を上昇し、シャフト軸（１７）の先端が天井押し付け部材（１）を押し上げる。一方、天井押し付け部材（１）を引き込む場合には、リンク機構（２）の逆回転によってシャフト軸（１７）は中空ガイド部材（１８）内を下降するが、この時、シャフト軸（１７）が一定の長さで下降すると、そのピン部材（２０）がピン停止部材（２１）に係合し、中空ガイド部材（１８）を引き下げる。このため、リンク機構（２）の特性によってシャフト軸（１７）の下降距離にばらつきが生じた場合であっても、各々の中空ガイド部材（１８）はシャフト軸（１７）に連動して引き下げられ、結果として天井押し付け部材（１）も確実に箱体（１０）内に引き込まれる。
【００２８】
なお、ピン停止部材（２１）は、中空ガイド部材（１８）の任意の上下位置に配設可能とすることが好ましい。あるいはまた、ピン部材（２０）をシャフト軸（１７）にネジ固定し、シャフト軸（１７）に複数のネジ穴を設けることによって、ピン部材（２０）の取り付け位置を可変とするようにしてもよい。このように、ピン停止部材（２１）および／またはピン部材（２０）の位置を変えることによって、収納間仕切りの設置環境（天井面の形状や段差、隆起部の有無等）に応じて、天井押し付け部材（１）に対する引き込みを調節することが可能となる。さらに、天井面に段差等が存在する場合には、天井押し付け部材（１）を取り外し、中空ガイド部材（１８）の先端を直接天井面に押し付けるようにしてもよい。
【００２９】
もちろんこの発明は以上の例によって限定されるものではなく、細部の構成等については様々な態様が可能であることは言うまでもない。
【００３０】
【発明の効果】
以上詳しく説明したとおり、この出願によって、簡単な構造であるにも係わらず、天井押し付け部材および移動用キャスターの出し入れを確実に行うことのできる新しい収納間仕切りが提供される。
【図面の簡単な説明】
【図１】この出願の第１発明の収納間仕切りの一実施例を示した側面図である。
【図２】第１発明の収納間仕切りのリンク機構に用いるリンク部材の一つを例示した平面図である。
【図３】（Ａ）〜（Ｄ）は、この収納間仕切りの可動状態から固定状態への作動を連続的に示した側面図である。
【図４】箱体の全体重量（収納重量）を５０ｋｇまはた１００ｋｇとし、バネ材のバネ定数を０．２５または０．５とし、固定状態から移動状態への切替操作を行った時の、回転板の回転角度（リンク中心部角度）と操作力との関係を示したグラフ図である。
【図５】（Ａ）〜（Ｄ）は、この収納間仕切りの固定状態から移動状態への作動を連続的に示した側面図である。
【図６】箱体の全体重量（収納重量）を５０ｋｇまはた１００ｋｇとし、バネ材のバネ定数を０．２５または０．５とし、移動状態から固定状態への切替操作を行った時の、回転板の回転角度（リンク中心部角度）と操作力との関係を示したグラフ図である。
【図７】この発明の収納間仕切りのリンク機構の回動操作方法を例示した側面図である。
【図８】この出願の第２発明の収納間仕切りの一実施例を示した側面図である。
【図９】第２発明の収納間仕切りにおける中空ガイド部材とシャフト軸を例示した斜視図である。
【図１０】従来の可動収納間仕切りを例示した側断面図（Ａ）および正面断面図（Ｂ）である。
【図１１】この出願の発明者らが先に提案にした収納間仕切りの昇降装置を示した側面図である。
【符号の説明】
１  天井押し付け部材
２  リンク機構
３  回転軸
４  固定板
５  回転板
６、６１、６２、６３  リンク部材
６３１  鈍角Ｌ字形
６３２  固定点
７  上部シャフト
７１  ガイド部
８  軸部材
９  バネ材
１０  箱体
１１  側壁
１２  下部シャフト
１３  キャスター
１４  操作ハンドル
１５  連結パイプ
１６  操作ハンドル
１７  シャフト軸
１８  中空ガイド部材
１９  スリット
２０  ピン部材
２１  ピン停止部材
【図１】
0003557937.tif 000002
【図２】
0003557937.tif 000003
【図３】
0003557937.tif 000004
【図４】
0003557937.tif 000005
【図５】
0003557937.tif 000006
【図６】
0003557937.tif 000007
【図７】
0003557937.tif 000008
【図８】
0003557937.tif 000009
【図９】
0003557937.tif 000010
【図１０】
0003557937.tif 000011
【図１１】
0003557937.tif 000012